(57)【要約】      （修正有）【課題】灯明皿にＬＥＤ灯明器を任意の方向を照らすように取り付けることができるクリップ付ＬＥＤ灯明器を提供する。【解決手段】前面に複数のＬＥＤ２１、底面にクリップ２３を備えた直方体形状の発光部本体２２と、電源を供給する制御付電源コード３を設ける。また、クリップ２３は、二枚の板バネであるクリップ内板２３１とクリップ外板２３２からなり、クリップ内板２３１は、発光部本体に接続される平板状の本体接続部と、鋭角に曲げられた屈曲部と、クリップバネ部とからなり、クリップ外板２３２は、発光部本体に接続される平板状の本体接続部と、鋭角に曲げられた屈曲部とクリップバネ部とからなる。クリップバネ部で、灯明皿を挟み、屈曲部と屈曲部の角度を変更することでＬＥＤの照射方向を変えられるようにしてクリップ付ＬＥＤ灯明器を構成する。【選択図】図１
0003170242.tif 000002
【実用新案登録請求の範囲】
【請求項１】
前面に複数のＬＥＤ２１、底面にクリップ２３を備えた直方体形状の発光部本体２２と、
電源を供給する制御付電源コード３を設け、クリップ２３は、二枚の板バネであるクリッ
プ内板２３１とクリップ外板２３２からなり、クリップ内板２３１は、発光部本体に接続
される平板状の本体接続部２３１１と、鋭角に曲げられた屈曲部２３１３と、クリップバ
ネ部２３１２とからなり、クリップ外板２３２は、発光部本体に接続される平板状の本体
接続部２３２１と、鋭角に曲げられた屈曲部２３２３とクリップバネ部２３２２とからな
り、クリップバネ部２３１２とクリップバネ部２３２２とで、灯明皿を挟み、屈曲部２３
１３と屈曲部２３２３の角度を変更することでＬＥＤの照射方向を変えられるようにした
ことを特徴とするクリップ付ＬＥＤ灯明器。
【請求項２】
クリップバネ部２３１２とクリップバネ部２３２２を略平板状としたことを特徴とする請
求項１記載のクリップ付ＬＥＤ灯明器。
【請求項３】
クリップバネ部２３１２は略平板状で、クリップバネ部２３２２の中央部がクリップ内板
２３１とから離れ、先端で接触する「くの字」型としたことを特徴とする請求項１記載の
クリップ付ＬＥＤ灯明器。
【請求項４】
クリップバネ部２３１２とクリップバネ部２３２２を波型形状とし、クリップバネ部２３
１２は、発光部本体２２の底面側に少し膨らみを持たし、中程で、逆方向に反し形状とし、クリップバネ部２３２２は、クリップバネ部２３１２とは、逆方向に、発光部本体の底面側と離れる方向に少し膨らみを持たし、中程で逆方向に反した形状とし、クリップバネ部の夫々の反する形状付近で相互にバネ性を持たして接触させ、挟めるようにしたことを特徴とする請求項１記載のクリップ付ＬＥＤ灯明器。
【請求項５】
クリップ２３の素材はアルミニウムであることを特徴とする請求項１又は請求項２に記載のクリップ付ＬＥＤ灯明器。
【請求項６】
クリップ内板２３１の素材がアルミニウムであるときは、クリップ外板２３２の素材は、焼入れ鋼帯の薄板とし、クリップ外板２３２がクリップ内板２３１に、焼入れ鋼帯の薄板の弾性力で加圧することで灯明皿を挟めるようにし、クリップ内板の灯明皿への取り付け角度を変更しても、焼入れ鋼帯の薄板の弾性でクリップ外板２３２がクリップ内板２３１を加圧することで、クリップ２３の灯明皿への取り付け角度の変更を容易にしたことを特徴とする請求項1から請求項５の何れか一つに記載のクリップ付ＬＥＤ灯明器。
【請求項７】
クリップ外板２３２の素材がアルミニウムであるときは、クリップ内板２３１の素材は、焼入れ鋼帯の薄板とし、クリップ内板２３１がクリップ外板２３２に、焼入れ鋼帯の薄板の弾性力で加圧することで灯明皿を挟めるようにし、クリップ外板の灯明皿への取り付け角度を変更しても、焼入れ鋼帯の薄板の弾性でクリップ内板２３１がクリップ外板２３２を加圧することで、クリップ２３の灯明皿への取り付け角度の変更を容易にしたことを特徴とする請求項1から請求項５の何れか一つに記載のクリップ付ＬＥＤ灯明器。
【考案の詳細な説明】
【技術分野】
【０００１】
クリップを備えたＬＥＤ灯明器に関する。
【背景技術】
【０００２】
国宝や重要文化財等の財産を火災等から守ることを目的とし、ＬＥＤ灯明器が求められて
いる。特許文献１のようなＬＥＤ灯明器はあるが、任意の場所に取り付けできなく、専用
台が必要である。
【先行技術文献】
【特許文献】
【０００３】
【特許文献１】特開２００２−１８４２２０号公報
【考案の概要】
【考案が解決しようとする課題】
【０００４】
１）灯明皿の大きさや形状の種類が数多くある。簡単に異なる大きさや形状の灯明皿に取
り付けられるＬＥＤ灯明器がない。
２）灯明皿にＬＥＤ灯明器を任意の方向を照らすように取り付けられない。ＬＥＤの光の
方向を定めるのに取り付けが困難である
【課題を解決するための手段】
【０００５】
前面に複数のＬＥＤ２１、底面にクリップ２３を備えた直方体形状の発光部本体２２と、
電源を供給する制御付電源コード３を設け、クリップ２３は、二枚の板バネであるクリッ
プ内板２３１とクリップ外板２３２からなり、クリップ内板２３１は、発光部本体に接続
される平板状の本体接続部２３１１と、鋭角に曲げられた屈曲部２３１３と、クリップバ
ネ部２３１２とからなり、クリップ外板２３２は、発光部本体に接続される平板状の本体
接続部２３２１と、鋭角に曲げられた屈曲部２３２３とクリップバネ部２３２２とからな
り、クリップバネ部２３１２とクリップバネ部２３２２とで、灯明皿を挟み、屈曲部２３
１３と屈曲部２３２３の角度を変更することでＬＥＤの照射方向を変えられるようにした
ことを特徴とするクリップ付ＬＥＤ灯明器。
【０００６】
クリップバネ部２３１２とクリップバネ部２３２２を略平板状としたことを特徴とするク
リップ付ＬＥＤ灯明器。
【０００７】
クリップバネ部２３１２は略平板状で、クリップバネ部２３２２の中央部がクリップ内板
２３１とから離れ、先端で接触する「くの字」型としたことを特徴とするクリップ付ＬＥ
Ｄ灯明器。
【０００８】
クリップバネ部２３１２とクリップバネ部２３２２を波型形状とし、クリップバネ部２３
１２は、発光部本体の底面側に少し膨らみを持たし、中程で、逆方向に反し形状とし、ク
リップバネ部２３２２は、クリップバネ部２３１２とは、逆方向に、発光部本体の底面側
と離れる方向に少し膨らみを持たし、中程で逆方向に反した形状とし、クリップバネ部の
夫々の反する形状付近で相互にバネ性を持たして接触させ、挟めるようにしたことを特徴
とするクリップ付ＬＥＤ灯明器
【０００９】
クリップ２３の素材はアルミニウムであることを特徴とするクリップ付ＬＥＤ灯明器。
【考案の効果】
【００１０】
１）ＬＥＤ灯明器にクリップを付けたので、異なる形状の灯明皿に取り付けることができ
る。
２）ＬＥＤ灯明器に取り付けるクリップの角度を自由に変更できるので、クリップを取り
付けたＬＥＤ灯明器の光の照射の向きを自由に設定できる。
【図面の簡単な説明】
【００１１】
【図１】本考案のクリップ付ＬＥＤ灯明器の全体構成
【図２ａ】本考案のクリップ付ＬＥＤ灯明器の発光部の構成（実施例１）
【図２ｂ】本考案のクリップ付ＬＥＤ灯明器の発光部の構成（実施例２）
【図２ｃ】本考案のクリップ付ＬＥＤ灯明器の発光部の構成（実施例３）
【図３】本考案のクリップ付ＬＥＤ灯明器の発光部の取り付け方法  （ａ）ＬＥＤの向きを水平に照射する場合 （ｂ)ＬＥＤの向きを上向きに照射する場    合 （ｃ）ＬＥＤの向きを下向きに照射する場合
【考案を実施するための形態】
【００１２】
図１は本考案のクリップ付ＬＥＤ灯明器の全体構成を示す。
図１は、灯明皿４に、本考案のクリップ付ＬＥＤ灯明器１を取り付けた構成である。本
考案のクリップ付ＬＥＤ灯明器１は、発光部２と電源供給の制御付き電源コード３からな
る。発光部２を、灯明皿４にクリップ２３で取り付ける。
【００１３】
まず、図２ａ、図２ｂ、図２ｃで、本考案のクリップ付ＬＥＤ灯明器の発光部の３つの実
施例の共通の構成について説明する。
発光部２は、ＬＥＤ２１、発光部本体２２、クリップ２３からできている。発光部本体は
直方体状で、前面にＬＥＤ２１を複数設け、後面には電源供給の制御付電源コード３を設
ける。
発光部本体には、ＬＥＤを駆動するために駆動回路を設け、発光部本体の底面にはクリッ
プ２３を接続する。このクリップで灯明皿を挟んで取り付ける。
クリップ２３は、二枚の板バネであるクリップ内板２３１とクリップ外板２３２から構成
する。
二枚のバネ板は、一方は主として角度変更を目的としたもので、もう一方のバネ板は、角
度変更した場合でもバネ性を保つことができる形状とする。
【００１４】
次に、図２ａ、図２ｂ、図２ｃで、本考案のクリップ付ＬＥＤ灯明器の発光部のクリップ
の構成を示す。
【実施例１】
【００１５】
図２ａはクリップ付ＬＥＤ灯明器の実施例１の発光部の構成を示す。
クリップ内板２３１は、発光部本体２２に接続される平らな本体接続部２３１１と、大き
く鋭角状に曲げた屈曲部２３１３と、もう一方のクリップ外板とを挟むための、略平板状
のクリップバネ部２３１２とからなる。
大きく鋭角状に曲げられた屈曲部２３１３に丸みをもたせることによりバネ性を確保する
。クリップ外板２３２は、発光部本体に接続される平らな本体接続部２３２１と、大きく鋭角状に曲げた屈曲部２３２３と、略平板状のクリップバネ部２３２２とからなる。
これらの略平板状のクリップバネ部２３１２と略平板状のクリップバネ部２３２２は、隙
間が１ｍｍから３ｍｍで平行に配置し、これら略平板状のクリップバネ部２３１２と略平
板状のクリップバネ部２３２２で灯明皿を挟み、発光部を固定する。
クリップ外板の屈曲部２３２３は、クリップ内板の屈曲部２３１３より、少し前方に突き
出しぎみにすることで挟むバネ性を確保する。
【００１６】
クリップ内板とクリップ外板の素材は、アルミニウムである。アルミニウムは少しの力で
形状変化を起こす素材であるので、クリップ内板２３１と、クリップ外板２３２を前記の
ような形状にして、２枚合わせて灯明皿を挟むことで灯明皿に固定している。このような
仕組みにより、クリップ内板２３１と、クリップ外板２３２の角度を２枚合わせて変化さ
せ、発光部の燈明皿に対する取り付け角度を設定する。
図２ａの発光部本体２２の底面とクリップ外板２３２の本体接続部２３２１に少し角度を
つけて、隙間を1ｍｍ程度あけることによりクリップのバネ性が強くなる。
【実施例２】
【００１７】
図２ｂはクリップ付ＬＥＤ灯明器の実施例２の発光部の構成を示す。
クリップ内板２３１は、発光部本体２２に接続される平らな本体接続部２３１１と、大き
く鋭角状に曲げた屈曲部２３１３、もう一方のクリップ外板とを挟むための、略平板状の
クリップバネ部２３１２とからなり、先端部は発光部本体側に少し折れ曲がっている。
大きく鋭角状に曲げられた屈曲部２３１３に丸みをもたせることによりバネ性を確保する
。
クリップ外板２３２は、発光部本体に接続される平らな本体接続部２３２１と、大きく鋭
角状に曲げた屈曲部２３２３と、もう一方のクリップ内板とで挟むための、クリップバネ
部２３２２の中央部がクリップ内板２３１とから離れ、先端で接触する「くの字」型のク
リップバネ部２３２２とからなる。これらのクリップ外板とクリップ内板とで、灯明皿を
挟み、発光部を固定する。
クリップ外板の屈曲部２３２３は、クリップ内板の屈曲部２３１３より、緩やかな角度に
してバネ性を確保する。
２つの本体接続部２３１１と本体接続部２３２１は、重ね合わせて発光部本体２２の底面
に接続ネジ２４で固定する。
【００１８】
クリップ内板２３１の平板状のクリップバネ部２３１２と、クリップ外板２３２の「くの
字」型のクリップバネ部２３２２の双方の板バネで、燈明皿を挟む。
クリップ内板とクリップ外板の素材は、アルミニウムである。アルミニウムは少しの力で
形状変化を起こす素材であるので、クリップ内板２３１と、クリップ外板２３２で、２
枚合わせて灯明皿を挟み灯明皿に固定する。このような仕組みにより、クリップ内板２３
１と、クリップ外板２３２の角度を２枚合わせて変化させ、発光部の燈明皿に対する取り
付け角度を設定できる。
又、密着している本体接続部２３１１と本体接続部２３２１は、発光部本体２２の底面に
対して、少し下方方向に傾斜し、ＬＥＤ２１に近い前面付近で約１ｍｍの隙間を設け、こ
れによりバネ性をより確保する。
【実施例３】
【００１９】
図２ｃはクリップ付ＬＥＤ灯明器の実施例３の発光部の構成を示す。
クリップ内板２３１は、発光部本体に接続される平板状の本体接続部２３１１と、大きく
鋭角状に曲げた屈曲部２３１３と、もう一方のクリップ外板とで挟むための、波型形状の
クリップバネ部２３１２とからなるクリップ内板２３１のクリップバネ部２３１２は、発光部本体の底面側に少し膨らみをもたし、中程で逆方向に返す形状にしている。
クリップ外板２３２は、発光部本体に接続される平らな本体接続部２３２１と、大きく鋭
角状に曲げた屈曲部２３２３と、クリップバネ部２３２２とからなる。
クリップバネ部２３２２は、クリップバネ部２３１２とは逆方向に、発光部本体の底面側
とは離れる方向に少し膨らみをもたし、中程で、逆方向に反す形状にしている。夫々の反
す付近で相互にバネ性をもたして接触させ、そこで灯明皿を挟む。屈曲部２３１３は屈曲
部２３２３より大きく丸みをもたせて、バネ性を確保する。
【００２０】
密着している本体接続部２３１１と本体接続部２３２１は、発光部本体２２の底面に対し
て、少し下方方向に傾斜し、ＬＥＤ２１に近い前面付近で約１ｍｍの隙間を設け、これに
よりバネ性をより確保する。
【００２１】
図３は、本考案のクリップ付ＬＥＤ灯明器の発光部の取り付け方法を示す。
（ａ）は、ＬＥＤの向きを水平に照射する場合を示す。クリップ内板２３１と発光部本体
２２の底面との角度を例えば３０度にした場合、ＬＥＤの照射方向がほぼ水平になる。Ｌ
ＥＤを水平に照射するための、クリップ内板２３１と発光部本体の底面との角度は灯明皿
の形状と大きさによるが、クリップ内板２３１とクリップ外板２３２は、アルミニウムで
構成しているので、クリップ内板２３１とクリップ外板２３２を合わせて角度を容易に調
整できる。
（ｂ）は、ＬＥＤの向きを上向きに照射する場合を示す。
クリップ内板２３１とクリップ外板２３２を板材（アルミニウム）の柔軟性を利用し、二
枚合わせて指ではさんで角度を変えることで、発光部本体２２の底面と、クリップ内板２
３１の角度を小さくしてＬＥＤの照射を上向きにできる。この図では、発光部本体の底面
とクリップ内板２３１の角度を２５度にしている。
（ｃ）は、ＬＥＤ２１の向き下向きに照射する場合を示す。
クリップ内板とクリップ外板を板材（アルミニウム）の柔軟性を利用し、指ではさんで発
光部本体２２の底面と、クリップ内板２３１の角度を大きくし、例えば、発光部本体の底
面とクリップ内板２３１の角度が４５度のとき、ＬＥＤの光の方向は、灯明皿に取り付け
ら場合は、下方方向のＬＥＤの照射になる。
このように、クリップの角度を変えることにより、ＬＥＤの照射角度を自由に変えること
ができる。
【００２２】
クリップ構造は２枚の板バネで灯明皿を挟み、発光部のLEDの照射方向を定めて簡単に固定する、クリップ内板とクリップ外板の素材が両方ともアルミニウムのときは、クリップ内板とクリップ外板の両方を手で挟んで、クリップ内板とクリップ外板が相互に接触するように向きを調整する必要がある。
【００２３】
しかしながら、いちいち、クリップ内板とクリップ外板を手い挟んで相互に接触するように向きを調整するのは面倒である。
【００２４】
クリップ内板とクリップ外板の一方を角度調整用としてアルミニウムを使用し、他方を焼き入れ鋼帯の薄板として、焼き入れ鋼帯の薄板の弾性で、焼き入れ鋼帯の薄板が角度調整用のアルミ二ウムのクリップ内板又はクリップ外板を加圧するようにすると、角度調整用のクリップ内板又はクリップ外板の、灯明皿への取り付け角度のみを調整することで、焼き入れ鋼帯の薄板が、角度調整のクリップ内板又はクリップ外板への弾性力で、焼き入れ鋼帯の薄板とで、灯明皿を挟むことができる。
【００２５】
クリップ内板２３１の素材がアルミニウムであるときは、クリップ外板２３２の素材は、焼入れ鋼帯の薄板とし、クリップ外板２３２がクリップ内板２３１に、焼入れ鋼帯の薄板の弾性力で加圧することで灯明皿を挟めるようにし、クリップ内板の灯明皿への取り付け角度を変更しても、焼入れ鋼帯の薄板の弾性でクリップ外板２３２がクリップ内板２３１を加圧することで、クリップ２３の灯明皿への取り付け角度の変更を容易にできる。
【００２６】
クリップ外板２３２の素材がアルミニウムであるときは、クリップ内板２３１の素材は、焼入れ鋼帯の薄板とし、クリップ内板２３１がクリップ外板２３２に、焼入れ鋼帯の薄板の弾性力で加圧することで灯明皿を挟めるようにし、クリップ外板の灯明皿への取り付け角度を変更しても、焼入れ鋼帯の薄板の弾性でクリップ内板２３１がクリップ外板２３２を加圧することで、クリップ２３の灯明皿への取り付け角度の変更を容易にできる。
【産業上の利用可能性】
【００２７】
燈明皿に容易に、自由な角度に取り付けできるクリック付きＬＥＤ灯明器を提供する。
【符号の説明】
【００２８】
１      クリップ付ＬＥＤ灯明器
２      発光部
２１    ＬＥＤ
２２    発光部本体
２３    クリップ
２３１    クリップ内板
２３１１  本体接続部
２３１２  クリップバネ部
２３１３  屈曲部
２３２    クリップ外板
２３２１  本体接続部
２３２２  クリップバネ部        
２３２３  屈曲部
２４    接続ネジ
３      制御付電源コード
４    灯明皿
【図１】
0003170242.tif 000003
【図２ａ】
0003170242.tif 000004
【図２ｂ】
0003170242.tif 000005
【図２ｃ】
0003170242.tif 000006
【図３】
0003170242.tif 000007